【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
を有し、記録媒体に画像を形成する画像形成装置において、
前記カートリッジを前記記録媒体に画像を形成するための第１位置と前記第１位置よりも前記転写部材から退避した第２位置とへ移動させるカートリッジ移動部と、
前記発光部材を記録媒体に画像を形成する為に前記感光体を露光する第３位置と前記第３位置よりも前記カートリッジから退避した第４位置とへ移動させる発光部材移動部と、
を有し、前記カートリッジが前記第２位置にあり前記発光部材が前記第４位置にある時、前記発光部材の前記複数の発光素子は前記感光体と対向しており、前記カートリッジを前記装置本体の内部から取り出し可能であることを特徴とする画像形成装置。
【請求項２】
前記カートリッジは直線移動によって前記第１位置から前記第２位置へ移動し、前記発光部材は直線移動によって前記第３位置から前記第４位置へ移動し、前記カートリッジの前記第１位置から前記第２位置への移動方向と前記発光部材の前記第３位置から前記第４位置への移動方向とが平行であることを特徴とする請求項１に記載の画像形成装置。
【請求項３】
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
を有し、記録媒体に画像を形成する画像形成装置において、
前記カートリッジを前記記録媒体に画像を形成するための第１位置と前記第１位置よりも前記転写部材から退避した第２位置とへ移動させるカートリッジ移動部と、
前記発光部材は、記録媒体に画像を形成する為に前記感光体を露光する第３位置と、前記第３位置よりも前記カートリッジから退避した第４位置とへ移動させる発光部材移動部と、
を有し、前記発光部材は直線移動によって前記第３位置から前記第４位置へ移動し、
前記カートリッジが前記第２位置にあり前記発光部材が前記第４位置にある時、前記カートリッジを前記装置本体の内部から取り出し可能であることを特徴とする画像形成装置。
【請求項４】
前記カートリッジは直線移動によって前記第１位置から前記第２位置へ移動し、前記カートリッジの前記第１位置から前記第２位置への移動方向と前記発光部材の前記第３位置から前記第４位置への移動方向とが平行であることを特徴とする請求項６に記載の画像形成装置。
【請求項５】
前記カートリッジが前記第２位置にあり前記発光部材が前記第４位置にある時、前記カートリッジを前記感光体の回転軸方向に移動させて前記装置本体の内部から取り出し可能であることを特徴とする請求項１乃至４のいずれか一項に記載の画像形成装置。
【請求項６】
前記カートリッジが前記第１位置にある時の前記感光体の回転軸と前記カートリッジが前記第２位置にある時の前記感光体の回転軸とが平行であることを特徴とする請求項１乃至５のいずれか一項に記載の画像形成装置。
【請求項７】
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
を有し、記録媒体に画像を形成する画像形成装置において、
前記カートリッジを前記記録媒体に画像を形成するための第１位置と前記第１位置よりも前記転写部材から退避した第２位置とへ移動させるカートリッジ移動部と、
前記発光部材を記録媒体に画像を形成する為に前記感光体を露光する第３位置と前記第３位置よりも前記カートリッジから退避した第４位置とへ移動させる発光部材移動部と、
を有し、前記カートリッジが前記第１位置にある時の前記感光体の回転軸と前記カートリッジが前記第２位置にある時の前記感光体の回転軸とが平行であり、前記カートリッジが前記第２位置にあり前記発光部材が前記第４位置にある時、前記カートリッジを前記感光体の回転軸方向に移動させて前記装置本体の内部から取り出し可能であることを特徴とする画像形成装置。
【請求項８】
前記カートリッジが前記第１位置から前記第２位置まで移動する移動量よりも、前記発光部材が前記第３位置から前記第４位置まで移動する移動量の方が大きいことを特徴とする請求項１乃至７のいずれか一項に記載の画像形成装置。
【請求項９】
前記カートリッジ移動部が設けられ、前記カートリッジを支持する支持部材と、各々が前記支持部材と前記装置本体とに対して回転可能に連結された第１連結部材と第２連結部材と、を有し、
前記第１連結部材と前記第２連結部材は、前記感光体の回転軸方向に離れた位置でそれぞれ前記支持部材に連結され、
前記カートリッジは、前記第１連結部材及び前記第２連結部材が回転することにより、前記記録媒体に画像を形成するための第１位置と、前記第１位置よりも前記転写部材から退避した第２位置と、へ移動可能であることを特徴とする請求項１乃至８のいずれか一項に記載の画像形成装置。
【請求項１０】
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
を有し、記録媒体に画像を形成する画像形成装置において、
前記カートリッジを支持する支持部材と、各々が前記支持部材と前記装置本体とに対して回転可能に連結された第１連結部材と第２連結部材と、を有し、
前記第１連結部材と前記第２連結部材は、前記感光体の回転軸方向に離れた位置でそれぞれ前記支持部材に連結され、
前記カートリッジは、前記第１連結部材及び前記第２連結部材が回転することにより、前記記録媒体に画像を形成するための第１位置と、前記第１位置よりも前記転写部材から退避した第２位置と、へ移動可能であり、
前記発光部材を記録媒体に画像を形成する為に前記感光体を露光する第３位置と前記第３位置よりも前記カートリッジから退避した第４位置とへ移動させる発光部材移動部を有し、
前記カートリッジが前記第２位置にあり前記発光部材が前記第４位置にある時、前記カートリッジを前記感光体の回転軸方向に移動させて前記装置本体の内部から取り出し可能であることを特徴とする画像形成装置。
【請求項１１】
前記第１連結部材と前記第２連結部材とは同形であり、それぞれ前記支持部材に同じ回転位相で連結されていることを特徴とする請求項１０に記載の画像形成装置。
【請求項１２】
前記カートリッジが前記第１位置から前記第２位置まで移動する移動量よりも、前記発光部材が前記第３位置から前記第４位置まで移動する移動量の方が大きいことを特徴とする請求項１０又は１１に記載の画像形成装置。
【請求項１３】
前記発光部材移動部は、前記第２位置にある前記カートリッジを移動させて前記装置本体から取り外す際に、前記カートリッジをガイドするガイド部を備え、前記ガイド部は、前記発光部材が前記第４位置に位置した状態で前記カートリッジをガイド可能であることを特徴とする請求項１乃至１２のいずれか一項に記載の画像形成装置。
【請求項１４】
装置本体に対して移動可能な移動部材を有し、
前記移動部材が所定位置にある時、前記カートリッジが前記第１位置で前記発光部材が前記第３位置にあり、前記移動部材を前記所定位置から別の所定位置へ移動させると、前記カートリッジが前記第２位置へ移動し、前記発光部材が前記第４位置へ移動することを特徴とする請求項１乃至１３のいずれか一項に記載の画像形成装置。
【請求項１５】
前記装置本体には、前記カートリッジを前記装置本体の内部から取り出す際に前記カートリッジが通過する開口が設けられ、
前記移動部材は、前記所定位置にある時に前記開口を覆い、前記別の所定位置にある時に前記カートリッジを前記装置本体の内部から取り出し可能に前記開口を開放する開閉部材であることを特徴とする請求項１４に記載の画像形成装置。
【請求項１６】
前記発光部材は、前記装置本体の内部で前記第３位置から前記第４位置へ移動することを特徴とする請求項１乃至１５のいずれか一項に記載の画像形成装置。
【請求項１７】
前記カートリッジは、前記装置本体の内部で前記第１位置から前記第２位置へ移動することを特徴とする請求項１乃至１６のいずれか一項に記載の画像形成装置。
【請求項１８】
前記カートリッジは、前記感光体を帯電する帯電部材を備えることを特徴とする請求項１乃至１７のいずれか一項に記載の画像形成装置。
【請求項１９】
前記カートリッジは、前記感光体の潜像を現像剤で現像する現像部材を備えることを特徴とする請求項１乃至１８のいずれか一項に記載の画像形成装置。
【請求項２０】
前記カートリッジは、前記感光体から現像剤を除去する部材を備えることを特徴とする請求項１乃至１９のいずれか一項に記載の画像形成装置。
【請求項２１】
前記カートリッジは上方に移動することで前記第１位置から前記第２位置へ移動し、前記発光部材は上方に移動することで前記第３位置から前記第４位置へ移動することを特徴とする請求項１乃至２０のいずれか一項に記載の画像形成装置。
【請求項２２】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
を有し、記録媒体に画像を形成する画像形成装置において、
前記複数のカートリッジのそれぞれを前記記録媒体に画像を形成するための第１位置と前記第１位置よりも前記転写部材から退避した第２位置とへ移動させるカートリッジ移動部と、
前記複数の発光部材のそれぞれは、記録媒体に画像を形成する為に前記対応する感光体を露光する第３位置と、前記第３位置よりも前記対応する感光体を備える前記カートリッジから退避した第４位置とへ移動させる発光部材移動部と、
を有し、前記複数のカートリッジが前記第２位置にあり前記複数の発光部材が前記第４位置にある時、前記複数の発光部材の前記複数の発光素子はそれぞれ前記対応する感光体と対向しており、前記複数のカートリッジを前記装置本体の内部から取り出し可能であることを特徴とする画像形成装置。
【請求項２３】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
を有し、記録媒体に画像を形成する画像形成装置において、
前記複数のカートリッジのそれぞれを前記記録媒体に画像を形成するための第１位置と前記第１位置よりも前記転写部材から退避した第２位置とへ移動させるカートリッジ移動部と、
前記複数の発光部材のそれぞれを記録媒体に画像を形成する為に前記対応する感光体を露光する第３位置と前記第３位置よりも前記対応する感光体を備える前記カートリッジから退避した第４位置とへ移動させる発光部材移動部と、
を有し、前記複数の発光部材のそれぞれは直線移動によって前記第３位置から前記第４位置へ移動し、
前記複数のカートリッジのそれぞれが前記第２位置にあり前記複数の発光部材が前記第４位置にある時、前記複数のカートリッジを前記装置本体の内部から取り出し可能であることを特徴とする画像形成装置。
【請求項２４】
前記複数のカートリッジのそれぞれは直線移動によって前記第１位置から前記第２位置へ移動し、前記複数のカートリッジの前記第１位置から前記第２位置への移動方向と前記複数の発光部材の前記第３位置から前記第４位置への移動方向とが平行であることを特徴とする請求項２３に記載の画像形成装置。
【請求項２５】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
を有し、記録媒体に画像を形成する画像形成装置において、
前記カートリッジのそれぞれを前記記録媒体に画像を形成するための第１位置と前記第１位置よりも前記転写部材から退避した第２位置とへ移動させるカートリッジ移動部と、
前記複数の発光部材を記録媒体に画像を形成する為に前記対応する感光体を露光する第３位置と前記第３位置よりも前記対応する感光体を備える前記カートリッジから退避した第４位置とへ移動させる発光部材移動部と、
前記複数のカートリッジが前記第１位置にある時の前記感光体の回転軸と前記複数のカートリッジが前記第２位置にある時の前記感光体の回転軸とが平行であり、前記複数のカートリッジが前記第２位置にあり前記複数の発光部材が前記第４位置にある時、前記複数のカートリッジのそれぞれを前記感光体の回転軸方向に移動させて前記装置本体の内部から取り出し可能であることを特徴とする画像形成装置。
【請求項２６】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
を有し、記録媒体に画像を形成する画像形成装置において、
前記複数カートリッジを支持する支持部材と、各々が前記支持部材と前記装置本体とに対して回転可能に連結された第１連結部材と第２連結部材と、を有し、
前記第１連結部材と前記第２連結部材は、前記感光体の回転軸方向に離れた位置でそれぞれ前記支持部材に連結され、
前記複数のカートリッジのそれぞれは、前記第１連結部材及び前記第２連結部材が回転することにより、前記記録媒体に画像を形成するための第１位置と、前記第１位置よりも前記転写部材から退避した第２位置と、へ移動可能であり、
前記複数の発光部材のそれぞれを記録媒体に画像を形成する為に前記対応する感光体を露光する第３位置と前記第３位置よりも前記対応する感光体を備える前記カートリッジから退避した第４位置とへ移動させる発光部材移動部を有し、
前記複数のカートリッジが前記第２位置にあり前記複数の発光部材が前記第４位置にある時、前記複数のカートリッジのそれぞれを前記感光体の回転軸方向に移動させて前記装置本体の内部から取り出し可能であることを特徴とする画像形成装置。
【請求項２７】
装置本体に対して移動可能な移動部材を有し、
前記移動部材が所定位置にある時、前記複数のカートリッジが前記第１位置で前記複数の発光部材が前記第３位置にあり、前記移動部材を前記所定位置から別の所定位置へ移動させると、前記複数のカートリッジが前記第２位置へ移動し、前記複数の発光部材が前記第４位置へ移動することを特徴とする請求項２１乃至２６のいずれか一項に記載の画像形成装置。
【請求項２８】
前記装置本体には、前記複数のカートリッジを前記装置本体の内部から取り出す際に前記複数のカートリッジが通過する開口が設けられ、
前記移動部材は、前記所定位置にある時に前記開口を覆い、前記別の所定位置にある時に前記複数のカートリッジを前記装置本体の内部から取り出し可能に前記開口を開放する開閉部材であることを特徴とする請求項２７に記載の画像形成装置。
【請求項２９】
前記転写部材は、前記複数のカートリッジがそれぞれ備える前記感光体からトナー像が転写されるベルトであることを特徴とする請求項２１乃至２８のいずれか一項に記載の画像形成装置。
【請求項３０】
前記複数のカートリッジが前記第１位置にある時、前記転写部材は前記複数のカートリッジがそれぞれ備える前記感光体の下方に配置されていることを特徴とする請求項２９に記載の画像形成装置。
【請求項３１】
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
装置本体に対して移動可能な一つの移動部材と、
を有し、前記一つの移動部材が所定位置にある時、前記発光部材による露光及び前記転写部材による転写を行って記録媒体に画像を形成可能な画像形成装置において、
前記一つの移動部材を前記所定位置から別の所定位置へ移動させると、前記発光部材が直線移動して前記一つの移動部材が前記所定位置にある時よりも前記発光部材と前記感光体とが離れ、且つ、前記一つの移動部材が前記所定位置にある時よりも前記感光体と前記転写部材とが離れ、前記カートリッジを前記装置本体の内部から取り出し可能な状態となることを特徴とする画像形成装置。
【請求項３２】
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
装置本体に対して移動可能な一つの移動部材と、
を有し、前記一つの移動部材が所定位置にある時、前記発光部材による露光及び前記転写部材による転写を行って記録媒体に画像を形成可能な画像形成装置において、
前記一つの移動部材を前記所定位置から別の所定位置へ移動させると、前記一つの移動部材が前記所定位置にある時よりも、前記発光部材と前記感光体とが離れ、且つ、前記感光体と前記転写部材とが離れ、
前記一つの移動部材が前記別の所定位置にある時、前記発光部材の前記複数の発光素子が前記感光体と対向しており、前記カートリッジを前記装置本体の内部から取り出し可能であることを特徴とする画像形成装置。
【請求項３３】
前記一つの移動部材を前記所定位置から別の所定位置へ移動させると、前記発光部材が直線移動することにより前記一つの移動部材が前記所定位置にある時よりも前記発光部材と前記感光体とが離れることを特徴とする請求項３２に記載の画像形成装置。
【請求項３４】
前記一つの移動部材が前記別の所定位置にある時、前記カートリッジを前記感光体の回転軸方向に移動させて前記装置本体の内部から取り出し可能であることを特徴とする請求項３１乃至３３のいずれか一項に記載の画像形成装置。
【請求項３５】
前記装置本体には、前記カートリッジを前記装置本体の内部から取り出す際に前記カートリッジが通過する開口が設けられ、
前記一つの移動部材は、前記所定位置にある時に前記開口を覆い、前記別の所定位置にある時に前記カートリッジを前記装置本体の内部から取り出し可能に前記開口を開放する開閉部材であることを特徴とする請求項３１乃至３４のいずれか一項に記載の画像形成装置。
【請求項３６】
前記一つの移動部材が前記所定位置にある時、前記感光体と前記転写部材とが当接し、且つ、前記発光部材と前記感光体とが当接した状態であり、前記一つの移動部材が前記別の所定位置にある時、前記感光体と前記転写部材とが離間し、且つ、前記発光部材と前記感光体とが離間した状態であることを特徴とする請求項３１乃至３５のいずれか一項に記載の画像形成装置。
【請求項３７】
前記一つの移動部材が前記所定位置にある時及び前記別の所定位置にある時、前記発光部材は前記装置本体の内部にあることを特徴とする請求項３１乃至３６のいずれか一項に記載の画像形成装置。
【請求項３８】
前記カートリッジは、前記感光体を帯電する帯電部材を備えることを特徴とする請求項３１乃至３７のいずれか一項に記載の画像形成装置。
【請求項３９】
前記カートリッジは、前記感光体の潜像を現像剤で現像する現像部材を備えることを特徴とする請求項３１乃至３８のいずれか一項に記載の画像形成装置。
【請求項４０】
前記カートリッジは、前記感光体から現像剤を除去する部材を備えることを特徴とする請求項３１至３９のいずれか一項に記載の画像形成装置。
【請求項４１】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
装置本体に対して移動可能な一つの移動部材と、
を有し、前記一つの移動部材が所定位置にある時、前記複数の発光部材による露光及び前記複数の転写部材による転写を行って記録媒体に画像を形成可能な画像形成装置において、
前記一つの移動部材を前記所定位置から別の所定位置へ移動させると、前記複数の発光部材のそれぞれが直線移動して前記一つの移動部材が前記所定位置にある時よりも前記複数の発光部材と前記対応する感光体とがそれぞれ離れ、且つ、前記一つの移動部材が前記所定位置にある時よりも前記複数のカートリッジがそれぞれ備える前記感光体と前記転写部材とがそれぞれ離れ、前記複数のカートリッジを前記装置本体の内部から取り出し可能な状態となることを特徴とする画像形成装置。
【請求項４２】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
装置本体に対して移動可能な一つの移動部材と、
を有し、前記一つの移動部材が所定位置にある時、前記発光部材による露光及び前記転写部材による転写を行って記録媒体に画像を形成可能な画像形成装置において、
前記一つの移動部材を前記所定位置から別の所定位置へ移動させると、前記一つの移動部材が前記所定位置にある時よりも、前記発光部材と前記感光体とが離れ、且つ、前記感光体と前記転写部材とが離れ、
前記一つの移動部材が前記別の所定位置にある時、前記カートリッジを前記感光体の回転軸方向に移動させて前記装置本体の内部から取り出し可能であることを特徴とする画像形成装置。
【請求項４３】
各々が感光体を備え、装置本体から取り外し可能な複数のカートリッジと、
各々が前記複数のカートリッジがそれぞれ備える前記感光体に対応して設けられた複数の発光部材であって、対応する前記感光体の回転軸方向に配列された複数の発光素子を備え、前記複数の発光素子を発光させて前記対応する感光体を露光する複数の発光部材と、
前記複数のカートリッジがそれぞれ備える前記感光体に形成されたトナー像を転写するための転写部材と、
装置本体に対して移動可能な一つの移動部材と、
を有し、前記一つの移動部材が所定位置にある時、前記複数の発光部材による露光及び前記複数の転写部材による転写を行って記録媒体に画像を形成可能な画像形成装置において、
前記一つの移動部材を前記所定位置から別の所定位置へ移動させると、前記一つの移動部材が前記所定位置にある時よりも、前記発光部材と前記感光体とが離れ、且つ、前記感光体と前記転写部材とが離れ、
前記一つの移動部材が前記別の所定位置にある時、前記発光部材の前記複数の発光素子が前記感光体と対向しており、前記カートリッジを前記装置本体の内部から取り出し可能であることを特徴とする画像形成装置。
【請求項４４】
前記装置本体には、前記複数のカートリッジを前記装置本体の内部から取り出す際に前記複数のカートリッジが通過する開口が設けられ、
前記一つの移動部材は、前記所定位置にある時に前記開口を覆い、前記別の所定位置にある時に前記複数のカートリッジを前記装置本体の内部から取り出し可能に前記開口を開放する開閉部材であることを特徴とする請求項４１乃至４３に記載の画像形成装置。
【請求項４５】
前記転写部材は、前記複数のカートリッジがそれぞれ備える前記感光体からトナー像が転写されるベルトであることを特徴とする請求項４１乃至４４のいずれか一項に記載の画像形成装置。
【請求項４６】
前記一つの移動部材が前記所定位置にある時、前記転写部材は前記複数のカートリッジがそれぞれ備える前記感光体の下方に配置されていることを特徴とする請求項４５に記載の画像形成装置。
【請求項４７】
前記複数の発光素子は複数の発光ダイオードであることを特徴とする請求項１乃至４６のいずれか一項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、感光体を備えたカートリッジを装置本体に取り外し可能に装着した状態で、記録媒体に画像を形成する画像形成装置に関するものである。
【手続補正４】
【補正対象書類名】明細書
【補正対象項目名】０００６
【補正方法】変更
【補正の内容】
【０００６】
本発明は上記従来技術を更に発展させたものである。その目的は、感光体、発光部材、の位置精度を損なわずに、カートリッジの挿抜時のユーザビリティ性を向上させた画像形成装置を提供することにある。
【手続補正５】
【補正対象書類名】明細書
【補正対象項目名】０００７
【補正方法】変更
【補正の内容】
【０００７】
上記の目的を達成するための本発明に係る画像形成装置の代表的な構成は、
感光体を備え、装置本体から取り外し可能なカートリッジと、
前記感光体の回転軸方向に配列された複数の発光素子を備え、前記複数の発光素子を発光させて前記感光体を露光する発光部材と、
前記感光体に形成されたトナー像を転写するための転写部材と、
を有し、記録媒体に画像を形成する画像形成装置において、
前記カートリッジを前記記録媒体に画像を形成するための第１位置と前記第１位置よりも前記転写部材から退避した第２位置とへ移動させるカートリッジ移動部と、
前記発光部材を記録媒体に画像を形成する為に前記感光体を露光する第３位置と前記第３位置よりも前記カートリッジから退避した第４位置とへ移動させる発光部材移動部と、
を有し、前記カートリッジが前記第２位置にあり前記発光部材が前記第４位置にある時、前記発光部材の前記複数の発光素子は前記感光体と対向しており、前記カートリッジを前記装置本体の内部から取り出し可能であることを特徴とする。
【手続補正６】
【補正対象書類名】明細書
【補正対象項目名】０００８
【補正方法】変更
【補正の内容】
【０００８】
本発明によれば、感光体、発光部材、の位置精度を損なわずに、カートリッジの挿抜時のユーザビリティ性を向上させた画像形成装置を提供することができる。即ち、カートリッジと装置本体、カートリッジと発光部材の位置決め精度を高めること、及び、カートリッジを挿抜するユーザビリティー性を高めることを両立することができる。
【手続補正７】
【補正対象書類名】明細書
【補正対象項目名】００２５
【補正方法】変更
【補正の内容】
【００２５】
［装着部１０２］
各カートリッジＰの装着部１０２（１０２Ｙ、１０２Ｍ、１０２Ｃ、１０２Ｋ）の構成は同じである。以下、便宜上、第４の装着部１０２Ｋを代表して説明する。図５の（ａ）、図７の（ａ）は第４のカートリッジＰＫに注目するために、他のカートリッジおよびその周辺部品を省いた装置フレームの斜視図である。装着部１０２は、発光部材ユニットとしてのＬＥＤユニット６、ユニット６を支持する発光部材ユニット支持部材としてのＬＥＤホルダー３０、ホルダー３０を移動する移動部材１０７を有する。そして、本実施例においては、ユニット６にカートリッジＰを挿抜ガイドする発光部材ユニット側ガイド部としてのガイドレール部４７が配設されている。
【手続補正８】
【補正対象書類名】明細書
【補正対象項目名】００５１
【補正方法】変更
【補正の内容】
【００５１】
カートリッジＰを本体１００Ａに挿入する際は、開かれているドア７１上のリブ７３にカートリッジＰを載せ、カートリッジＰを本体後ろ方向に押し込んでいく。最初に、ホルダー３０のレール部５９の手前に配置された、キャップ６０の内部のバネにより、カートリッジＰは上に少し持ち上がる。ホルダー３０のレール部５９の入り口には、ボス４４を呼び込むテーパ形状が付与されている。カートリッジＰを本体１００Ａに押し込んでいくと、ボス４４がレール部５９に呼び込まれ、ボス４４とガイドリブ（不図示）が突き当たった状態でカートリッジＰが挿入される。最後に、本体後方にあるトグルレバー８１にカートリッジの端面が接触し、レバー８１を倒し、バネ８２の引き込み力によって引き込まれる。これによって、カートリッジＰの突き当て面４１が本体フレーム１０６に接触し、本体前後方向の位置決めがなされる。そして、ドア７１を開放位置から開口部を閉鎖した閉じ位置に回動操作する。このドア７１の閉じ回動に連動して、ホルダー３０が移動部材１０７によりカートリッジ取り出し位置から上方位置Ｃに位置する。これにより、カートリッジＰが画像形成位置Ａに、また、ユニット６が露光位置Ｍに位置決めされた状態に保持された、図１１の（ａ）の状態に復帰する。
上記のように、ホルダー３０でカートリッジＰをガイドすることにより、カートリッジ挿抜時のユーザビリティ性を高めることができる。また、カートリッジＰ及びユニット６を昇降させることにより、本体１００Ａに対し、精度良くカートリッジＰ、ユニット６を位置決めすることができる。